(57)【要約】【課題】チルト角度を調整した状態で装置本体を支持可能で且つ、装置の大型化を抑制しつつスタンドの剛性を高める。【解決手段】底面視で撮影レンズ１０１と重ならない位置に、バッテリ３０を収容するためのバッテリ収容部３０１が配設される。スタンドＳＴ１は、一対の左梁１１６及び右梁１１７と、これら同士を連結する連結部１１５とからなり、撮影レンズ１０１の光軸Ｃ０に垂直な回動中心Ｐ０の周りに回動自在に開閉動作し、開状態においては装置本体１００を支持する。装置本体１００の底部１００ａには、底面視において撮影レンズ１０１及びバッテリ収容部３０１を避けた領域に形成されるスタンド収容部５０に、閉状態におけるスタンドＳＴ１が収容される。【選択図】図６
2015021994.tif 000002
【特許請求の範囲】
【請求項１】
装置本体と、
撮影レンズと、
前記装置本体の底面視において前記撮影レンズに重ならない位置に配置され、バッテリを収容するためのバッテリ収容部と、
前記撮影レンズの光軸に垂直な方向を軸方向とする回動軸部を回動中心として前記装置本体に対して回動自在に設けられた一対の梁部、及び前記一対の梁部同士を連結する連結部を有して、前記回動中心の周りに回動して開閉動作し、開状態においては前記装置本体を支持することが可能なスタンドとを有し、
前記装置本体の底部には、底面視において前記撮影レンズ及び前記バッテリ収容部を避けた領域に、閉状態における前記スタンドを収容するための収容凹部が形成されることを特徴とする撮像装置。
【請求項２】
前記一対の梁部は第１の梁部と第２の梁部とからなり、前記スタンドの閉状態においては、前記収容凹部のうち前記バッテリ収容部を前記回動軸部の軸方向に挟む領域に前記第１の梁部と前記第２の梁部とが収容されることを特徴とする請求項１に記載の撮像装置。
【請求項３】
前記スタンドは、前記回動中心の周りの回動時に前記連結部が自由端部となり、閉状態においては、前記収容凹部のうち前記撮影レンズと前記バッテリ収容部との間の領域に前記連結部が収容されることを特徴とする請求項２に記載の撮像装置。
【請求項４】
前記スタンドは、閉状態において底面視でコ字状であることを特徴とする請求項１〜３のいずれか１項に記載の撮像装置。
【請求項５】
前記一対の梁部及び前記連結部は板金を有し、前記板金の面方向は、前記スタンドの閉状態において前記撮影レンズの光軸及び前記回動軸部の軸方向の双方に垂直な直線に対して平行な成分を有することを特徴とする請求項１〜４のいずれか１項に記載の撮像装置。
【請求項６】
前記連結部が有する板金には、前記スタンドの閉状態において前記撮影レンズの光軸に平行な方向に折り曲げた折り曲げ部が形成されることを特徴とする請求項５に記載の撮像装置。
【請求項７】
底面視で前記回動軸部の軸方向における、前記収容凹部のうち前記第１の梁部が収容される領域の外側、及び／又は、前記収容凹部のうち前記第２の梁部が収容される領域の外側において、前記装置本体には、インターフェイス部及びストラップ取り付け部の少なくとも１つが設けられることを特徴とする請求項２に記載の撮像装置。
【請求項８】
前記一対の梁部はそれぞれ、前記装置本体に対して回動自在な回動部材に対して回動自在に設けられることを特徴とする請求項１〜７のいずれか１項に記載の撮像装置。
【請求項９】
前記スタンドの開状態において前記一対の梁部及び前記連結部で形成される開口部を用いて前記装置本体を吊り下げ状態で保持することが可能であることを特徴とする請求項８に記載の撮像装置。
【請求項１０】
前記スタンドの前記回動中心の周りの回動時において前記連結部の自由端側となる端面の形状は、前記回動中心に近い側に凸の弓形に形成されていることを特徴とする請求項１〜９のいずれか１項に記載の撮像装置。
【請求項１１】
前記装置本体の前記底部には、底面視における前記撮影レンズと前記バッテリ収容部との間に三脚ねじ取り付け部が設けられ、
前記三脚ねじ取り付け部は、底面視で前記光軸に平行な方向において、前記収容凹部のうち前記連結部が収容される領域よりも前記回動中心から遠い位置に配置され、
前記連結部が収容される前記領域の、前記三脚ねじ取り付け部に近い側の壁面は、底面視で前記光軸に平行な方向において、前記回動中心に近い側に凸の弓形に形成されていることを特徴とする請求項１〜１０のいずれか１項に記載の撮像装置。 
【発明の詳細な説明】
【技術分野】
【０００１】
本発明は、スタンドを有する撮像装置に関する。
【背景技術】
【０００２】
従来、従来の撮像装置（カメラ）は一般に、手持ちでの撮影だけではなく、本体底面に設けた三脚ねじ取り付け部に三脚を取り付け、自由なアングルにて置いて撮影する置き撮り撮影が可能である。
【０００３】
しかし、ユーザが、三脚を用いた置き撮りを行う場合には、カメラと三脚を共に携行する必要があり、煩わしく、撮影時の設定にも時間を要する。そこで、特許文献１、２に示すように、置き撮り撮影時に、自由なチルト角で撮影ができるよう、カメラ本体にスタンドを内蔵したカメラが提案されている。
【先行技術文献】
【特許文献】
【０００４】
【特許文献１】特開平６−２８４３１９号公報
【特許文献２】特開２０００−２８４３５７号公報
【発明の概要】
【発明が解決しようとする課題】
【０００５】
しかしながら、特許文献１のカメラは、主に置き撮りに使用する監視カメラ等の用途を想定しているので、スタンドの分だけ本体が厚く、カメラが大型化し、携帯性にも欠ける。スタンドの厚みを小さくすれば薄型化が可能であるが、そうするとスタンドの剛性が低下する。
【０００６】
また、特許文献２のカメラは、スタンドは閉状態でカメラ本体に収容され、全体としてフラットとなるため薄型化できる。しかし、内蔵スタンドをカメラ本体の中心ではなく、重心から離れた位置に配設しているので、スタンド使用時における本体の支持の安定性に欠ける。
【０００７】
本発明は上記従来技術の問題を解決するためになされたものであり、その目的は、チルト角度を調整した状態で装置本体を支持可能で且つ、装置の大型化を抑制しつつスタンドの剛性を高めることができる撮像装置を提供することにある。
【課題を解決するための手段】
【０００８】
上記目的を達成するために本発明は、装置本体と、撮影レンズと、前記装置本体の底面視において前記撮影レンズに重ならない位置に配置され、バッテリを収容するためのバッテリ収容部と、前記撮影レンズの光軸に垂直な方向を軸方向とする回動軸部を回動中心として前記装置本体に対して回動自在に設けられた一対の梁部、及び前記一対の梁部同士を連結する連結部を有して、前記回動中心の周りに回動して開閉動作し、開状態においては前記装置本体を支持することが可能なスタンドとを有し、前記装置本体の底部には、底面視において前記撮影レンズ及び前記バッテリ収容部を避けた領域に、閉状態における前記スタンドを収容するための収容凹部が形成されることを特徴とする。
【発明の効果】
【０００９】
本発明によれば、チルト角度を調整した状態で装置本体を支持可能で且つ、装置の大型化を抑制しつつスタンドの剛性を高めることができる。
【図面の簡単な説明】
【００１０】
【図１】本発明の第１の実施の形態に係る撮像装置の外観を表す斜視図である。
【図２】カメラの右側面図、底面側から見た斜視図である。
【図３】使用時におけるカメラの状態を示す外観斜視図である。
【図４】カメラの内部の要部を上面側から見た斜視図である。
【図５】カメラの電子的な構成を示すブロック図である。
【図６】スタンドを閉じた状態のカメラの底面図、スタンドを取り外した状態のカメラの底面図である。
【図７】スタンドの斜視図、分解斜視図である。
【図８】保持力発生機構部及びスタンドフレームの分解斜視図である。
【図９】スタンドの回動における自由端側部分を内側から見た図である。
【図１０】第２の実施の形態におけるスタンドの斜視図、スタンドを閉じた状態のカメラの底面図、使用時におけるカメラの状態を示す外観斜視図である。
【図１１】第３の実施の形態におけるスタンドの斜視図である。
【図１２】スタンドの各種の開状態におけるカメラの側面図、斜視図である。
【発明を実施するための形態】
【００１１】
以下、本発明の実施の形態を図面を参照して説明する。
【００１２】
（第１の実施の形態）
図１（ａ）、（ｂ）は、本発明の第１の実施の形態に係る撮像装置の外観を表す斜視図である。特に、図１（ａ）は上面側、図１（ｂ）は底面側から見た斜視図である。
【００１３】
この撮像装置は、一例として、静止画及び動画の撮影が可能なデジタルカメラとして構成される。このカメラ１０００は、装置本体１００の前部に撮影レンズ１０１が配設され、装置本体１００の上部に可動式のパネルユニット４０が設けられる。このカメラ１０００には、従来のカメラと同様に、三脚を取り付けるための三脚ねじ取り付け部１０４が底部１００ａに設けられている。ユーザは、別途用意した三脚を使用して、長時間の撮影や、撮影レンズ１０１の仰角（チルト角）を固定した撮影を行うことができる。
【００１４】
カメラ１０００は、全体が上下方向に薄い扁平な形状となっている。以降、前後方向については、撮影レンズ１０１から見て被写体側を前側とする。左右方向については、パネルユニット４０を上側にし、カメラ１０００を後方から見ている状態を基準として呼称する。装置本体１００の底部１００ａにおいて、三脚ねじ取り付け部１０４の後方に、スタンドＳＴ１が取り付けられている。
【００１５】
図２（ａ）は、カメラ１０００の右側面図である。図２（ｂ）は、カメラ１０００を底面側から見た斜視図である。撮影レンズ１０１の光軸Ｃ０は前後方向に平行である。
【００１６】
スタンドＳＴ１の詳細な構成は後述するが、スタンドＳＴ１は、装置本体１００に対して回動自在に取り付けられる。スタンドＳＴ１を装置本体１００に対して開閉動作することで、図１（ｂ）、図２（ａ）に示す閉状態（スタンド収容状態）と、この閉状態から開方向に回動させた開状態とにすることができる。図２（ｂ）はスタンドＳＴ１の開状態の一例を示している。スタンドＳＴ１は、開状態では底部１００ａから突出するが、閉状態では、底部１００ａから突出しない。
【００１７】
図３（ａ）、（ｂ）は、使用時におけるカメラ１０００の状態を示す外観斜視図である。図３（ａ）、（ｂ）に例示するように、カメラ１０００は、スタンドＳＴ１を任意の角度で開状態にして、床、机、地面等にカメラ１０００を置くことで、簡易的に、撮影レンズ１０１の仰角を自在に調節した状態で撮影する置き撮りに適した姿勢となる。
【００１８】
パネルユニット４０は、装置本体１００に対して回動自在な支持部材４１に回動自在に配設される。従って、パネルユニット４０の表示面を各種の方向に向けることができる。パネルユニット４０の回動軸方向は左右方向に平行であるが、それに限られるものではない。
【００１９】
図１（ｂ）、図２（ａ）に表れているように、装置本体１００の右側部には、ストラップをとりつけるためのストラップ取り付け部１５４２のほか、操作子として再生ボタン１５４１及び電源操作レバー１０３が設けられている。また、図２（ｂ）に表れているように、装置本体１００の左側部には、操作子として撮影開始ボタン１０７が設けられている。
【００２０】
図４は、カメラ１０００の内部の要部を上面側から見た斜視図である。図４に示す制御基板２０は、カメラ１０００の動作を制御する主要な制御ＩＣ２０１が実装された基板である。撮影レンズユニット１０と制御基板２０を上下方向に重ねず、制御基板２０を撮影レンズユニット１０の後方に配置することで製品厚みを抑えている。撮影レンズユニット１０は、撮影レンズ１０１の後方にセンサ基板１０５が組み込まれてなる。センサ基板１０５は、制御基板２０と電気的に接続されている。
【００２１】
制御基板２０の右側部には、外部の映像出力機器に接続する接続端子２０２１が実装されている。制御基板２０の左側部には、撮影開始ボタン１０７に対応するＳＷ（スイッチ）素子２０２５、ＰＣ（パーソナルコンピュータ）に接続される接続端子２０２２、ソケット２０２６が実装されている。ソケット２０２６には、メモリカード等の記録媒体２０２３をマウントすることができる。
【００２２】
図５は、カメラ１０００の電子的な構成を示すブロック図であり、電気的な接続を表す図である。
【００２３】
撮影レンズユニット１０が有するイメージセンサ１０６は、センサ基板１０５に実装されている。撮影レンズ１０１に入射した被写体の像は、撮影レンズ１０１の焦点位置に配置されたイメージセンサ１０６によって電荷信号に変換される。変換された電荷信号は、制御基板２０に送られ、制御ＩＣ２０１に入力される。
【００２４】
制御ＩＣ２０１は、画像処理部２０１１、ＣＰＵ（中央演算処理装置）である制御部２０１０、及び、揮発性メモリであるワークメモリ部２０１２を備える。画像処理部２０１１は、イメージセンサ１０６から送られる電荷信号をデジタル映像データに変換する。画像処理部２０１１で変換されたデジタル映像データは、ワークメモリ部２０１２に書き込まれ、制御部２０１０の制御によって、記録媒体２０２３へと出力される。
【００２５】
カメラ１０００のパネルユニット４０には、液晶表示パネル４０１が配設され、撮影した映像データの確認を行えるようになっている。また、予めプログラムメモリ２０１４に格納されている各種アイコン表示を液晶表示パネル４０１に出力することもできる。ここで、パネルユニット４０は、液晶表示パネル４０１の上面に、透明電極にて構成されるタッチパネル４０２を貼り付けて構成されている。これにより、各種アイコン表示を液晶表示パネル４０１に表示し、アイコン位置情報とタッチパネル４０２の操作位置情報とを、制御ＩＣ２０１にて比較することによって、タッチパネル操作によるカメラ１０００の制御が可能となっている。
【００２６】
ユーザが、電源操作レバー１０３を操作することで、制御基板２０に実装された電源検出ＳＷ（スイッチ）２０１３が操作され、電源検出ＳＷ２０１３から信号が制御ＩＣ２０１に送られて、主電源がＯＮとなる。電源がＯＮの状態で撮影開始ボタン１０７が操作されると、ＳＷ（スイッチ）素子２０２５から信号が制御ＩＣ２０１に送られ、撮影画像の記録がなされる。電源がＯＮの状態で再生ボタン１５４１が押圧されると再生モードへと移行する。すなわち、制御基板２０に実装された検出ＳＷ（スイッチ）２０１６（図６（ａ）に実装位置を示す）から、信号が制御ＩＣ２０１に送られ、記録媒体２０２３に記録された映像が液晶表示パネル４０１に表示され、確認ができる。
【００２７】
図６（ａ）は、スタンドＳＴ１を閉じた状態のカメラ１０００の底面図である。図６（ｂ）は、スタンドＳＴ１を取り外した状態のカメラ１０００の底面図である。図６（ａ）では、撮影レンズ１０１の光軸Ｃ０で外装を左右に分割し、内部構造の右半分が露出した状態が模式的に表されている。
【００２８】
カメラ１０００の外観は、光軸Ｃ０に対して左右対象の形状となっている。図６（ａ）に示すように、カメラ１０００の底面視（カメラ１０００の底面側から見た場合）において、光軸Ｃ０に沿って、撮影レンズ１０１の後方に三脚ねじ取り付け部１０４が配設される。三脚ねじ取り付け部１０４の後方であって、底面視で撮影レンズ１０１と重ならない位置に、バッテリ３０を収容するためのバッテリ収容部３０１が配設されている。すなわち、底面視における撮影レンズ１０１とバッテリ収容部３０１との間に三脚ねじ取り付け部１０４が配置されるようレイアウトされている。そのため、図６（ａ）では、三脚ねじ取り付け部１０４とバッテリ３０のそれぞれ右半分が露出した状態に表されている。
【００２９】
このように、カメラ１０００の中で比較的重量の大きいバッテリ３０の中央部を光軸Ｃ０が通るように配置することで、カメラ１０００が左右に傾くことなく安定した設置ができるようになっている。バッテリ３０が収容された状態では、カメラ１０００全体の重心はバッテリ３０の内部に位置している。また、三脚ねじ取り付け部１０４を光軸Ｃ０上に配置することで、別途の三脚を用いた撮影においても装置本体１００の安定した設置が可能となっている。
【００３０】
装置本体１００の後部下部には、バッテリ蓋３０２が開閉可能に設けてあり、バッテリ蓋３０２を開状態にすることで、バッテリ収容部３０１に対してバッテリ３０を挿脱することができる。バッテリ収容部３０１にバッテリ３０を挿入すると、制御基板２０に実装されているバッテリ接続端子２０３とバッテリ３０とが電気的に接続され、制御基板２０に電源が供給されるよう構成されている。
【００３１】
図６（ｂ）に示すように、装置本体１００の底部１００ａには、閉状態におけるスタンドＳＴ１を収容するためのスタンド収容部５０（収容凹部）が設けられている。スタンド収容部５０は、底面視において撮影レンズ１０１及びバッテリ収容部３０１を避けた領域に形成される。バッテリ収容部３０１は、左溝部５６、前溝部５５及び右溝部５７からなる１本の凹状の溝であり、光軸Ｃ０を挟んで左右対称形状に、底面視で後方に開口するコの字状に形成される。
【００３２】
底面視において、バッテリ収容部３０１は、左溝部５６と右溝部５７とによって左右方向から挟まれる位置にある。また光軸Ｃ０に沿った方向において、前溝部５５は、バッテリ収容部３０１と撮影レンズ１０１との間、特に三脚ねじ取り付け部１０４とバッテリ収容部３０１との間に位置する。
【００３３】
左溝部５６及び右溝部５７は前後方向に直線的に延設される。一方、概ね左右方向に延設される前溝部５５については、三脚ねじ取り付け部１０４に近い側の前側壁面５５ａが、後側に凸の弓形（ないしアーチ形または弧状）に形成されている。ここで、前側壁面５５ａが弓形であることで、三脚ねじ取り付け部１０４をバッテリ収容部３０１に近い位置に配置できるので、カメラ１０００の重心近くに配置することが可能となる。さらには、底部１００ａにおける限られた配置スペースを有効に利用することができる。なお、前溝部５５は、前側壁面５５ａだけでなく、後側壁面も後側に凸の弓形であってもよい。
【００３４】
本実施の形態では、操作部や電気的接続のための端子類の総称をインターフェイス部とし、このインターフェイス部には、接続端子２０２１、再生ボタン１５４１、電源操作レバー１０３、撮影開始ボタン１０７、ソケット２０２６及び接続端子２０２２が該当する。ユーザにおける操作性を考慮して、インターフェイス部やストラップ取り付け部１５４２は、カメラ１０００の外観側に配置するのが適切である。本実施の形態では、インターフェイス部やストラップ取り付け部１５４２を、左右方向における左溝部５６、右溝部５７の外側に配置している（図１（ｂ）、図２（ｂ）、図４、図６（ａ）参照）。従って、これらがバッテリ収容部３０１やスタンド収容部５０と上下に重なることがなく、装置本体１００の厚型化が回避されている。
【００３５】
具体的には、個々には上述したように、装置本体１００の右側部に、接続端子２０２１、ストラップ取り付け部１５４２、再生ボタン１５４１、電源操作レバー１０３が配設される（図１（ｂ）、図６（ａ））。また、装置本体１００の左側部に、撮影開始ボタン１０７、ソケット２０２６、接続端子２０２２が配設される（図２（ｂ）、図４）。
【００３６】
図１（ｂ）、図６（ａ）に示すように、スタンドＳＴ１は、閉状態において、装置本体１００から突出することなくスタンド収容部５０に収まっている。そのため、スタンド収容部５０の溝深さは、スタンドＳＴ１の厚みと略等しく構成されている。また、スタンドＳＴ１はスタンド収容部５０に嵌合的な形状をしており、閉状態において光軸Ｃ０を挟んで左右対称形状に、底面視で後方に開口するコ字状に形成される。
【００３７】
図６（ａ）に示すように、スタンドＳＴ１は、一対の梁部ないし腕部である左梁１１６及び右梁１１７と、これら一対の梁部同士を連結する連結部１１５とから一体的に構成される。閉状態においては、左梁１１６、右梁１１７、連結部１１５がそれぞれ左溝部５６、右溝部５７、前溝部５５に嵌合的に収容される。従って、スタンドＳＴ１の閉状態においては、左右方向における左梁１１６と右梁１１７との間にバッテリ収容部３０１が位置する。
【００３８】
スタンド収容部５０は、上下方向において制御基板２０に重ねて配置されている。また、前述したインターフェイス部（端子類や操作子類）は、制御基板２０に実装される実装部品の中では大きく高さを有する部品である。そこで、スタンド収容部５０を、上記インターフェイス部と投影上重ねることなく、左右方向におけるインターフェイス部の内側に設けた。これにより、装置本体１００の厚さを増すこと無く、スタンド収容部５０の必要な溝深さを確保することができる。
【００３９】
左梁１１６及び右梁１１７は、いずれも装置本体１００に対して回動中心Ｐ０を中心として回動自在にされる。回動中心Ｐ０の軸方向は光軸Ｃ０に垂直であり、左右方向に平行である。回動中心Ｐ０は前溝部５５より後方にある。回動中心Ｐ０は、収容状態のバッテリ３０を通っている。
【００４０】
スタンドＳＴ１は、撮影レンズ１０１の仰角を自在に変化させて撮影を行えるようにするため、撮影レンズ１０１の光軸Ｃ０に垂直な回動中心Ｐ０周りに回動する。また、スタンドＳＴ１は、任意の開き角度で保持できるよう、回動に対する摩擦力により常に保持力が働く構成となっている。スタンドＳＴ１に必要な保持力は、スタンドＳＴ１を手動で開閉でき、且つ、撮影レンズ１０１の仰角を変化させた任意の開位置でタッチパネル４０２等を操作したとてもスタンドＳＴ１が不用意に回動してしまうことのない程度の大きさである。
【００４１】
スタンドＳＴ１には、必要十分な保持力を発生させるために、回動中心Ｐ０周りで保持力を発生させるヒンジ機構として、後述する保持力発生機構部１６６、１６７（図７、図８）が設けられている。
【００４２】
図６（ｂ）に示すように、底部１００ａにおいて、スタンド収容部５０の前方に、前溝部５５の左右端部に隣接して、指掛け凹部５５０ａ、５５０ｂが形成されている。指掛け凹部５５０ａ、５５０ｂは、三脚ねじ取り付け部１０４を挟んで左右一対となっている。閉状態からユーザがスタンドＳＴ１の開き操作を行うときには、指掛け凹部５５０ａ、５５０ｂに指を掛けて操作する。
【００４３】
スタンドＳＴ１の閉状態における連結部１１５の底面視形状は、スタンド収容部５０の前溝部５５に対応している。従って、前溝部５５の前側壁面５５ａと同様に、底面視において、連結部１１５の、三脚ねじ取り付け部１０４に近い側の端面形状は、後側に凸の弓形になっている。
【００４４】
連結部１１５は、スタンドＳＴ１の回動中心Ｐ０周りの回動時に自由端部となる部分である。この連結部１１５は、左右端部が、左右方向中央よりも回動中心Ｐ０から遠く、回動時の先端となる。従って、三脚ねじ取り付け部１０４を撮影レンズ１０１とバッテリ収容部３０１との間に配置した配置構成においても、回動中心Ｐ０からスタンドＳＴ１の回動時の先端までの距離を大きくとることができる。
【００４５】
回動中心Ｐ０周りで生成されるスタンド保持力に打ち勝って、ユーザがスタンドＳＴ１を動作させるのに必要な荷重は、操作される部分が回動中心Ｐ０から遠いほど小さくて済む。スタンドＳＴ１の先端形状を弓形としたことで、三脚ねじ取り付け部１０４の配置スペースを確保しつつ、回動中心Ｐ０から先端までの距離を大きくとることができる。その結果、ユーザによるスタンドＳＴ１の開閉操作荷重を低くすることが可能となり、操作性が向上する。
【００４６】
図７（ａ）、（ｂ）は、スタンドＳＴ１の斜視図、分解斜視図である。
【００４７】
図７（ａ）に示すように、コの字形状のスタンドＳＴ１には、図７（ｂ）に示すスタンドヒンジユニット１１０が内蔵されている。スタンドＳＴ１は、スタンドヒンジユニット１１０を上下の外側樹脂カバー１２、内側樹脂カバー１３で挟み込んで構成されている。
【００４８】
スタンドヒンジユニット１１０は、コの字形状の板金にて形成されたスタンドフレーム１５０と、左右一対の保持力発生機構部１６６、１６７とが回動自在に結合されたユニットである。保持力発生機構部１６６、１６７が装置本体１００に配設されることで、スタンドＳＴ１は装置本体１００に対して回動自在になる。
【００４９】
スタンドフレーム１５０は、金属等で一体に形成される。図７（ｂ）に示すように、スタンドフレーム１５０は、左梁１１６、右梁１１７、連結部１１５にそれぞれ対応する板金として左側板状部１５６、右側板状部１５７、先端側板状部１５５を有する。左側板状部１５６、右側板状部１５７、先端側板状部１５５の面方向は、スタンドＳＴ１の閉状態において上下方向に略平行である。すなわち上記各々の面方向は、スタンドＳＴ１の閉状態において、光軸Ｃ０及び回動中心Ｐ０の軸方向の双方に垂直な直線に対して平行である。
【００５０】
スタンドＳＴ１は、撮影レンズ１０１のチルト角を調整するためのものでもあるので、開閉操作の際に受ける力の方向に対して強度を高くする必要がある。一般に、板金は板厚側面からの荷重に対して剛性が高く変形し難い。スタンドフレーム１５０の板金の面方向を上記のように設定したことで、スタンドＳＴ１は開閉方向に加わる外力に対して高い剛性を有するものとなっている。このように、スタンドフレーム１５０をはじめとしてスタンドＳＴ１がコの字状であることと相まって、スタンドＳＴ１は変形しにくい頑丈な構造となっている。
【００５１】
なお、開閉操作に対するスタンドフレーム１５０の強度を高める観点からは、左側板状部１５６、右側板状部１５７、先端側板状部１５５の面方向は、上下方向に対して多少斜めであってもよい。すなわち、スタンドＳＴ１の閉状態において光軸Ｃ０及び回動中心Ｐ０の軸方向の双方に垂直な直線に対して平行な成分を有すればよい。
【００５２】
また、スタンドフレーム１５０の先端側板状部１５５の先端には、回動における自由端方向へ９０°折り曲げた折り曲げ部１５５ａが形成され、連結部１１５の剛性が高まっている。これらにより、スタンドＳＴ１は、大きなスタンド保持力に打ち勝ってユーザがスタンドＳＴ１を開閉動作させるときでもスタンドＳＴ１自体が変形しない強固な構造となっている。
【００５３】
保持力発生機構部１６６、１６７については、両者は左右対称で、構成は同様であるので、以下では代表して主に保持力発生機構部１６７の構成を詳細に述べる。
【００５４】
図８は、保持力発生機構部１６７及びスタンドフレーム１５０の分解斜視図である。
【００５５】
保持力発生機構部１６７は、右側板状部１５７の、先端側板状部１５５から遠い側の端部にカシメにより固定されている。保持力発生機構部１６７は、固定部１６７ａ、回動軸部１６７ｂ、円板状のバネ１６７ｃから構成される。固定部１６７ａは、装置本体１００に対して螺着等により固定される部分である。回動軸部１６７ｂは、スタンドＳＴ１の回動軸を構成し、その軸心が回動中心Ｐ０となる。バネ１６７ｃは保持力を発生させるための付勢部材である。
【００５６】
回動軸部１６７ｂの一端は、右側板状部１５７の孔を貫通してカシメにより固定される。回動軸部１６７ｂの他端は、固定部１６７ａの孔を貫通し、さらに円板状のバネ１６７ｃの孔を貫通した状態で、バネ１６７ｃに対してカシメにより固定される。回動軸部１６７ｂは、固定部１６７ａに対して回動自在に係合する。バネ１６７ｃは、回動軸部１６７ｂの他端がカシメ固定された状態で、その面方向に弾性変形し、固定部１６７ａに常に荷重（付勢力）を加えた状態で固定される。
【００５７】
これにより、バネ１６７ｃと固定部１６７ａとの間の摩擦係数に、バネ１６７ｃの弾性変形により生じる荷重の積が、固定部１６７ａに対するスタンドフレーム１５０の任意の回動位置の保持力として作用する。ひいては、装置本体１００に対するスタンドＳＴ１の回動に対する適切な抗力が発生すると共に、任意の開閉位置で適切な保持力が発生する。
【００５８】
図７（ａ）示したスタンドＳＴ１、図７（ｂ）にスタンドフレーム１５０は、スタンドＳＴ１の最大開き状態を表している。スタンドフレーム１５０において、右側板状部１５７の、先端側板状部１５５から遠い側の端部には突部１５７ａが形成され、固定部１６７ａには折り曲げ形成されたストッパ部１６７ｅが設けられている（図７（ｂ）、図８）。閉状態からスタンドＳＴ１が開方向に動作すると、やがて突部１５７ａがストッパ部１６７ｅに当接して、スタンドＳＴ１の開方向における限界位置が規制される。
【００５９】
保持力発生機構部１６６の固定部１６６ａ、回動軸部１６６ｂ（図７（ｂ））は、保持力発生機構部１６７の固定部１６７ａ、回動軸部１６７ｂと同様に構成される。保持力発生機構部１６６のうち、ストッパ部１６７ｅ、バネ１６７ｃに相当する構成要素の符号の図示は省略されている。また、左側板状部１５６の、先端側板状部１５５から遠い側の端部には、突部１５７ａに相当する突部が形成されるがその符号の図示は省略されている。
【００６０】
大きな保持力を発生させるためには、円板状のバネ１６７ｃを径方向に大型化する必要があるため、特に、スタンドＳＴ１の回動中心Ｐ０周りの機構が大型化して、製品の厚みが増大する懸念がある。そこで、本実施の形態では、スタンドフレーム１５０の左右の左側板状部１５６、右側板状部１５７にそれぞれ保持力発生機構部１６６、１６７を分割して配設し、スタンドＳＴ１に必要な保持力の発生部分を左右に分散されている。すなわち、保持力発生機構部を単一にした構成に比し、各保持力発生機構部が担うべき保持力を半分にすることができる。これによって、回動中心Ｐ０周りの機構の小型化が可能となり、ひいては装置本体１００の薄型化が容易となる。
【００６１】
図７（ｂ）に示すように、スタンドＳＴ１は、スタンドＳＴ１を閉状態（スタンド収容部５０への収容状態）に維持するためのロック機構１４を内蔵している。ロック機構１４は、ロックレバー１４０とロックスプリング１４１とから構成される。
【００６２】
図９（ａ）、（ｂ）は、スタンドＳＴ１の回動における自由端側部分を内側から見た図である。ここでいう内側とは、スタンドＳＴ１の閉状態においては上側である。これらの図においては、スタンドヒンジユニット１１０及び内側樹脂カバー１３が取り外された状態が示されている。特に、図９（ａ）はロック状態、図９（ｂ）はロック解除状態を示している。
【００６３】
ロック機構１４は、スタンドフレーム１５０の折り曲げ部１５５ａと外側樹脂カバー１２との間の領域に介装される。ロック機構１４により、スタンドＳＴ１の収容位置（閉位置）を明確化できると共に、カメラ１０００の携帯時に意図せずスタンドＳＴ１が開くことが防止される。
【００６４】
外側樹脂カバー１２の内側には、回動軸１２１が設けられる。ロックレバー１４０は、回動軸１２１を中心に図９（ａ）の時計及び反時計方向に回動するように配設される。ロックスプリング１４１はコイルバネでなり、回動中心Ｐ０から遠ざかる方向（自由端側）にロックレバー１４０を常時付勢する。従って、スタンドＳＴ１の開状態のような無負荷の状態では、ロックレバー１４０は、その先端の爪部１４０ａが、外側樹脂カバー１２の自由端側の壁面に当接することで位置が規制され、図９（ａ）に示す姿勢が維持される。しかし爪部１４０ａに対して回動中心Ｐ０に近づく方向に力がかかると、図９（ｂ）に示すように、ロックレバー１４０は反時計方向に回動する。
【００６５】
外側樹脂カバー１２の内側にスタンドフレーム１５０が配設されると、スタンドフレーム１５０の折り曲げ部１５５ａ（図７（ｂ））が、ロック機構１４が配置される領域を内側から覆う。これにより、ロックレバー１４０の抜け止めがなされる。
【００６６】
スタンドＳＴ１の閉状態においては、ロックレバー１４０の爪部１４０ａが、スタンド収容部５０の前壁に設けたロック穴５０１（図２）に嵌合されることで、閉状態でのロックがなされる。爪部１４０ａは、スタンドＳＴ１の閉状態において上下（内側と外側）になだらかな斜面（テーパ面）有して、側面視で前方に尖った形状をしている。
【００６７】
ユーザによってスタンドＳＴ１に対し閉状態から開き方向に荷重が加えられると、爪部１４０ａの外側の斜面がロック穴５０１の縁部に当たることで、ロックレバー１４０に退避方向（回動中心Ｐ０に近づく方向）への分力が加わる。このロックレバー１４０に加わる分力が、ロックスプリング１４１による付勢力を上回ると、ロックスプリング１４１が弾性変形し、爪部１４０ａが一旦待避する（図９（ｂ））。さらに、スタンドＳＴ１が開方向に回動すると、爪部１４０ａは図９（ａ）に示す位置に安定する。
【００６８】
これとは逆に、スタンドＳＴ１に開状態から閉じ方向に荷重が加えられると、爪部１４０ａの内側の斜面がロック穴５０１の縁部に当たることで、爪部１４０ａが一旦待避する（図９（ｂ））。そして、爪部１４０ａがロック穴５０１に嵌入されると爪部１４０ａは図９（ａ）に示す位置に安定する。
【００６９】
本実施の形態によれば、スタンドＳＴ１は、撮影レンズ１０１の光軸Ｃ０に垂直な回動中心Ｐ０の周りに回動し、開状態で装置本体１００を保持できるので、チルト角の調整が可能である。
【００７０】
また、スタンドＳＴ１は、底部１００ａに設けたスタンド収容部５０に収容される。ここで、撮影レンズ１０１とバッテリ収容部３０１とは底面視において重ならず、且つ、スタンド収容部５０は、底面視において撮影レンズ１０１及びバッテリ収容部３０１を避けた領域に形成される。これらにより、装置本体１００の上下方向の厚みを大きくすることなく内蔵のスタンドＳＴ１を配設でき、カメラ全体がコンパクトになる。しかも、インターフェイス部やストラップ取り付け部１５４２を、左右方向における左溝部５６の左側、右溝部５７の右側に配置したことも、装置本体１００の厚型化回避に寄与している。
【００７１】
さらに、スタンドＳＴ１はコ字状であるので、剛性が高く、これに加えて、スタンドフレーム１５０の左側板状部１５６、右側板状部１５７、先端側板状部１５５は、それらの面方向が、スタンドＳＴ１の閉状態において上下方向に略平行である。これらにより、スタンドＳＴ１の補強効果が高まっている。
【００７２】
よって、チルト角度を調整した状態で装置本体１００を支持可能で且つ、カメラ１０００の大型化を抑制しつつスタンドＳＴ１の剛性を高めることができる。
【００７３】
また、スタンドＳＴ１の閉状態においては、スタンド収容部５０のうちバッテリ収容部３０１を回動中心Ｐ０の軸方向に挟む領域である左溝部５６、前溝部５５に第１の梁部（左梁１１６）、第２の梁部（右梁１１７）がそれぞれ収容される。特に、カメラ重心が存在するバッテリ３０を回動中心Ｐ０が通っている。これらにより、カメラ重心の近くでスタンドＳＴ１が装置本体１００を支持することになるので、支持の安定性が高い。
【００７４】
（第２の実施の形態）
本発明の第２の実施の形態では、スタンドＳＴ１に代えてスタンドＳＴ２が採用される。装置本体１００の構成は、第１の実施の形態のものと同様である。
【００７５】
図１０（ａ）は、スタンドＳＴ２の斜視図である。図１０（ｂ）は、スタンドＳＴ２を閉じた状態のカメラ１０００の底面図である。図１０（ｃ）は、使用時におけるカメラ１０００の状態を示す外観斜視図である。
【００７６】
スタンドＳＴ２は、スタンドＳＴ１に対して、外側樹脂カバー１２の形状が異なり、その他の構成は同様である。具体的には、スタンドＳＴ２においては、一対の左梁１１６及び右梁１１７を繋ぐ薄いカバー部６１が外側樹脂カバー１２に形成される。スタンドＳＴ２の閉状態におけるカバー部６１の前後方向の延設範囲は、外側樹脂カバー１２の前端から、回動動作の妨げにならない範囲で回動中心Ｐ０に近い位置までである。従って、閉状態においてカバー部６１はバッテリ収容部３０１の一部と底面視において重なる。
【００７７】
このように、スタンドＳＴ２は、第１の実施の形態と同様にコ字状のスタンドフレーム１５０等で剛性を確保しながらも、剛性の低い薄いカバー部６１によって、自由な意匠でスタンドＳＴ２を構成することが可能となっている。なお、カバー部６１は、外側樹脂カバー１２と一体に形成する必要はなく、スタンドＳＴ１に対して別途の部材を固定することで設けてもよい。
【００７８】
本実施の形態によれば、第１の実施の形態と同様の効果を奏すると共に、意匠的効果を付与して外観を向上させることができる。
【００７９】
（第３の実施の形態）
第１の実施の形態では、スタンドＳＴ１は、１つの回動中心Ｐ０の周りに回動する構成であった。これに対し本発明の第３の実施の形態では、平行な２つ回動軸を有するスタンドＳＴ３を採用する。装置本体１００の構成は第１の実施の形態のものと同様である。
【００８０】
図１１（ａ）、（ｂ）は、スタンドＳＴ３の斜視図である。スタンドＳＴ２は、スタンドＳＴ１の左梁１１６、右梁１１７、連結部１１５に相当する左梁３１６、右梁３１７、連結部３１５を有してスタンドＳＴ１と同様の外観形状（底面視コ字状）に構成される。スタンドＳＴ３は、装置本体１００に対して、回動中心Ｐ１、Ｐ２で回動自在である。特に、図１１（ａ）は、閉状態（スタンド収容部５０への収容状態）における姿勢を示し、図１１（ｂ）は、回動中心Ｐ１に関してのみ全開となった状態を示している。
【００８１】
回動中心Ｐ１、Ｐ２は、光軸Ｃ０に垂直で、いずれも左右方向に平行である。スタンドＳＴ３は、スタンドＳＴ１の固定部１６６ａ、１６７ａ（図７、図８）に相当する固定部９６、９７を有する。左梁３１６と回動部材８６とが回動中心Ｐ１で回動自在に連結され、回動部材８６と固定部９６とが回動中心Ｐ２で回動自在に連結されている。また、右梁３１７と回動部材８７とが回動中心Ｐ１で回動自在に連結され、回動部材８７と固定部９７とが回動中心Ｐ２で回動自在に連結されている。これらにおける回動自在に連結する機構は、第１の実施の形態で説明した保持力発生機構部１６６、１６７（図８）と同様のものが採用される。
【００８２】
なお、回動中心Ｐ１周りの保持力発生機構部と回動中心Ｐ２周りの保持力発生機構部とで、回動に対する抗力や保持力となるバネの付勢力に明確な差異を設けてもよい。例えば、回動中心Ｐ１周りの方が弱く（回動しやすく）設定する。
【００８３】
固定部９６、９７は、装置本体１００に固定される。従って、回動部材８６、８７は、回動中心Ｐ２にて装置本体１００に対して回動自在となる。装置本体１００に対する回動部材８６、８７の最大の回動角度は１３５度である。また、左梁３１６及び右梁３１７は、回動中心Ｐ１にて回動部材８６、８７に対して最大で４５°だけ回動自在である。その結果、スタンドＳＴ３は全体として、閉状態を０°として装置本体１００に対して最大で少なくとも１８０°まで回動可能である。
【００８４】
スタンドＳＴ３は、撮影レンズの光軸Ｃ０に対し垂直な方向に、平行２軸の回動軸を有する構成であるので、スタンドＳＴ３の姿勢をより自在にでき、撮影レンズ１０１の仰角を大きく変化させてカメラ１０００を設置することができる。
【００８５】
図１２（ａ）〜（ｃ）は、スタンドＳＴ３の各種の開状態におけるカメラ１０００の側面図である。図１２（ｄ）は、スタンドＳＴ３の全開状態におけるカメラ１０００の斜視図である。
【００８６】
図１２（ａ）に例示するように、スタンドＳＴ３を回動中心Ｐ１周りに４５°回動させて机面Ｆ等に設置すると、カメラ１０００は、いわゆるあおり方向の撮影に適した姿勢となる。図１２（ｂ）に例示するように、スタンドＳＴ３を回動中心Ｐ１周り及び回動中心Ｐ２周りに最大限回動させた全開状態にして机面Ｆ等に設置すると、カメラ１０００は、ちょうど水平方向を向いた撮影に適した姿勢となる。この時、スタンドＳＴ３が大きく開くため、全体としての接地面積が広くなり、姿勢的に安定した撮影が可能となる。
【００８７】
図１２（ｂ）に示す全開状態から、スタンドＳＴ３を、回動中心Ｐ１周りについてだけ閉方向に４５°回動させて机面Ｆ等に設置すると、図１２（ｃ）に例示するように、カメラ１０００は、下向き方向の撮影に適した姿勢となる。
【００８８】
また、図１２（ｂ）に示した全開状態のまま、図１２（ｄ）に示すように、スタンドＳＴ３の回動における自由端側を上側に向ける。コの字状のスタンドＳＴ３と装置本体１００との間には開口部７０１が形成されるから、この開口部７０１を天井や壁に設けられたフック等の係止部に引っ掛けてもよい。これにより、吊り下げ状態で、装置本体１００を下向きした姿勢で保持することが可能となる。その姿勢で、可動式のパネルユニット４０を回動させて下方に向ければ、例えば、天井からの吊り下げ状態でカメラ１０００を使用する場合においても、下方から撮影画角の確認が可能となる。
【００８９】
なお、装置本体１００を吊り下げ状態で支持する際、スタンドＳＴ３の開角度を１８０°より小さい値に調節することで、光軸Ｃ０の向きを、下方でなく横方向や斜め下方等に任意に設定することが可能である。
【００９０】
このように、平行２軸で開閉動作するスタンドＳＴ３を内蔵することによって、本実施の形態のカメラ１０００は、チルト角を自在に変化させることができ、撮影姿勢の自由度が高まる。
【００９１】
本実施の形態によれば、チルト角度を調整した状態で装置本体１００を支持可能で且つ、カメラ１０００の大型化を抑制しつつスタンドＳＴ３の剛性を高めることに関し、第１の実施の形態と同様の効果を奏する。しかしそれだけでなく、スタンドＳＴ３によるカメラ１０００がとり得る姿勢を多様化して、撮影姿勢の自由度を高めることができる。
【００９２】
なお、上記各実施の形態においては、コの字状のスタンドが閉状態においてバッテリ収容部３０１を３方向から囲む構成であった。しかし、装置本体１００の厚型化の回避の観点からは、バッテリ収容部３０１に代わって撮影レンズ１０１を３方向から囲むよう構成してもよい。
【００９３】
そのようにする場合、例えば第１の実施の形態でいえば、スタンド収容部５０及びスタンドＳＴ１の底面視のコの字形状を、前方に開口する形とする。従って、底面視において、左溝部５６と右溝部５７とが撮影レンズ１０１を左右方向から挟むような位置に左溝部５６と右溝部５７とを形成する。前溝部５５に相当する溝部の位置は第１の実施の形態における前溝部５５と同様とする。回動中心Ｐ０は、上記溝部より前方に位置することになり、撮影レンズ１０１またはその付近を通る。三脚ねじ取り付け部１０４の配置位置は、上記溝部より後方とする。
【００９４】
なお、装置本体１００の厚型化の回避の観点からは、スタンド収容部５０にスタンドＳＴ１等が収容されればよい。従って、閉状態における底面視において、両者は嵌合的な形状でなくてもよく、両者の形状は一致していなくてもよい。また、スタンド収容部５０及びスタンドＳＴ１は、装置本体１００の厚型化の回避のために必要な形状的特徴を有すればよく、視覚上、底面視でコの字の形と認識されることは必須でない。
【００９５】
なお、カメラ１０００は、撮影機能を有すればよく、静止画撮影のみ、または動画撮影のみの機能を有した装置であってもよい。従って、デジタルカメラに限らず、ビデオカメラ、監視装置、望遠鏡、顕微鏡等、各種の光学機器に本発明を適用可能である。
【００９６】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００９７】
ＳＴ１  スタンド
５０  スタンド収容部
１００  装置本体
１００ａ  底部
１０１  撮影レンズ
１６６ｂ、１６７ｂ  回動軸部
３０１  バッテリ収容部
Ｐ０  回動中心
【図１】
2015021994.tif 000003
【図２】
2015021994.tif 000004
【図３】
2015021994.tif 000005
【図４】
2015021994.tif 000006
【図５】
2015021994.tif 000007
【図６】
2015021994.tif 000008
【図７】
2015021994.tif 000009
【図８】
2015021994.tif 000010
【図９】
2015021994.tif 000011
【図１０】
2015021994.tif 000012
【図１１】
2015021994.tif 000013
【図１２】
2015021994.tif 000014